(57)【要約】【課題】プリンタの色域を網羅しつつ、ユーザが利用し易いカラーチャートを印刷することが可能なインクジェットプリンタ、カラーチャート印刷方法を提供することを目的とする。【解決手段】少なくともシアン、マゼンダ、イエロー、ブラックの色の組合せを含んで規定される画像データをもとに、印刷ヘッドにドットを印刷させるインクジェットプリンタに関する。このインクジェットプリンタにより印刷されるカラーチャートは、最も明るい明度となる第１色票が一方の端に配置されており、第１色票の対角方向の他方の端に最も暗い明度となる第２色票が配置されている。そして、各色票の配列は、第１色票側から第２色票側に前記対角方向に移行するに従い、各色票におけるシアン、マゼンダ、イエローの濃度が増加し、及び、明度が所定閾値以下となる色票においてブラックの濃度が増加する。【選択図】図３
2015020372.tif 000002
【特許請求の範囲】
【請求項１】
少なくともシアン、マゼンダ、イエロー、ブラックの色の組合せを含んで規定される画像データをもとに、印刷ヘッドにドットを印刷させるインクジェットプリンタであって、
各色の色票が行・列に配列して構成されたカラーチャートを前記印刷ヘッドに印刷させるカラーチャート生成部を有し、
前記カラーチャートは、最も明るい明度となる第１色票が一方の端に配置されており、前記第１色票の対角方向の他方の端に最も暗い明度となる第２色票が配置されており、
各色票の配列は、前記第１色票側から前記第２色票側に前記対角方向に移行するに従い、各色票におけるシアン、マゼンダ、イエローの濃度が増加し、及び、明度が所定閾値以下となる色票においてブラックの濃度が増加する、インクジェットプリンタ。
【請求項２】
前記カラーチャートは、前記第１色票と前記第２色票とを結ぶ線分が対角方向となる格子状に、各色票を配列させている、請求項１に記載のインクジェットプリンタ。
【請求項３】
前記明度が前記所定閾値以下となる色票において、ブラックの濃度は、シアン、マゼンダ、イエローの濃度が等量となる値に基づいて設定されている、請求項１又は請求項２のいずれかに記載のインクジェットプリンタ。
【請求項４】
前記色票の指定を受付け、前記指定された色票に応じた濃度のインクを前記印刷ヘッドに印刷させる指定色印刷部を有する請求項１から請求項３のいずれか一項に記載のインクジェットプリンタ。
【請求項５】
前記指定色印刷部は、前記指定された色票に応じたインクの濃度の調整を受付ける、請求項１から請求項４のいずれか一項に記載のインクジェットプリンタ。
【請求項６】
少なくともシアン、マゼンダ、イエロー、ブラックの色の組合せを含んで規定される画像データをもとに、各色の色票が行・列に配列して構成されたカラーチャートを印刷ヘッドに記録させるカラーチャート生成工程を有し、
前記カラーチャートは、最も明るい明度となる第１色票が一方の端に配置されており、前記第１色票の対角方向の他方の端に最も暗い明度となる第２色票が配置されており、
各色票の配列は、前記第１色票側から前記第２色票側に前記対角方向に移行するに従い、各色票におけるシアン、マゼンダ、イエローの濃度が増加し、及び、明度が所定閾値以下となる色票においてブラックの濃度が増加する、カラーチャート印刷方法。
【発明の詳細な説明】
【技術分野】
【０００１】
本発明は、インクジェットプリンタにおいて、特に、印刷する色の評価等を行うためのカラーチャートを印刷可能なインクジェットプリンタに関する。
【背景技術】
【０００２】
プリンタ（ｐｒｉｎｔｅｒ）とは、あらかじめ定められた一つ又は複数の文字集合に属する離散的な図形文字の列を主な様式として、データのハードコピー記録を作る出力装置、である（ＪＩＳ  Ｘ００１２−１９９０）。多くの場合、プリンタはプロッターとしても使用できる。また、プロッター（ｐｌｏｔｔｅｒ）とは、取外し可能な媒体上に、二次元図形の様式でデータのハードコピー記録を直接作り出す出力装置、である（ＪＩＳ  Ｘ００１２−１９９０）。
また、インクジェットプリンタ（ｉｎｋ  ｊｅｔ  ｐｒｉｎｔｅｒ）とは、非衝撃式印字装置であって、文字が用紙上にインクの粒子又は小滴の噴射によって形成されるもの、である（ＪＩＳ  Ｘ００１２−１９９０）。ドットプリンタの一形態であり、インクの粒子又は小滴の噴射によって形成される複数の点で表現される文字や画像を印字する。
【０００３】
色の範囲が厳格に定められている図形等をインクジェットプリンタに印刷させる場合、ユーザはインクジェットプリンタに所望とする色を事前に印刷させて、この色の評価を行う。このとき、ユーザは、インクジェットプリンタにカラーチャートを印刷させ、このカラーチャートを用いて所望とする色の指定等を行う。ここで、カラーチャート（color chart）とは、インキ（インク）を様々な平網の組合せで重ね刷りした一連の色票で構成する参照用印刷見本、である（ＪＩＳ  Ｚ８１２４−２０００）（例えば、特許文献１参照）。
【０００４】
色票は、インクジェットプリンタが再現可能な色域（ガマット）の色を離散的に表現している。色域 (color gamut)とは、装置又は媒体によって再現可能な知覚できる色の部分集合である。例えば、色票に割当てられた色は、画像データにより再現できる色域を均等間隔で離散的に分割して取得される。なお、画像（ｉｍａｇｅ）とは、人間の目に見える写真、絵、イラスト、図、文字などで、オリジナルの形、色、遠近感を適切に表現するもののことである。また、画像データとは、画像を表現するデジタルデータを意味する。
【先行技術文献】
【特許文献】
【０００５】
【特許文献１】特開２０１０−２２１４３９号公報
【発明の概要】
【発明が解決しようとする課題】
【０００６】
近年、シアン（Ｃ）、マゼンダ（Ｍ）、イエロー（Ｙ）、ブラック（Ｋ）の表色系で規定された画像データを入力画像として受付けるインクジェットプリンタが知られている。インクジェットプリンタが使用するインクは減法混色（少なくともＣ、Ｍ、Ｙ、Ｋのいずれかを含む）ため、画像データが加法混色（レッド（Ｒ）、グリーン（Ｇ）、ブルー（Ｂ））の表色系で規定されていると、インクジェットプリンタは、ＲＧＢで規定された画像データを、ＣＭＹＫで規定された画像データに変換する必要がある。一方、画像データがＣＭＹＫの表色系で規定されていれば、インクジェットプリンタが画像データの色の変換をする必要がなくなる。
【０００７】
また、カラーチャートの色票の配列は、各色票の色（濃度）の変化の方向に何らかの規則性が存在することが望ましい。例えば、指定した色票に応じて印刷された色の評価が低い場合、ユーザは色の指定を複数回繰返す場合がある。このような場合、各色票の配列が規則性を有することで、ユーザの色票の指定が行い易くなる。
しかし、画像データが、４色（シアン、マゼンダ、イエロー、ブラック）で規定されることで、３色（レッド、グリーン、ブルー）で規定されている場合に比べて、色の次元が１つ増えることとなり、色票の数を増加させる。色票が増加するとユーザによる色票の選択を困難にさせてしまう。
【０００８】
本発明は、上記課題にかんがみてなされたもので、プリンタの色域を網羅しつつ、ユーザが利用し易いカラーチャートを印刷することが可能なインクジェットプリンタ、カラーチャート印刷方法を提供することを目的とする。
【課題を解決するための手段】
【０００９】
上記課題を解決するために、本発明の態様の一つは、少なくともシアン、マゼンダ、イエロー、ブラックの色の組合せを含んで規定される画像データをもとに、印刷ヘッドにドットを印刷させるインクジェットプリンタに関する。このインクジェットプリンタでは、各色の色票が行・列に配列して構成されたカラーチャートを前記印刷ヘッドに印刷させるカラーチャート生成部を有している。
そして、カラーチャート生成部により印刷されるカラーチャートは、最も明るい明度となる第１色票が一方の端に配置されており、前記第１色票の対角方向の他方の端に最も暗い明度となる第２色票が配置されている。そして、各色票の配列は、前記第１色票側から前記第２色票側に前記対角方向に移行するに従い、各色票におけるシアン、マゼンダ、イエローの濃度が増加し、及び、明度が所定閾値以下となる色票においてブラックの濃度が増加する。即ち、カラーチャートは第１色票側から第２色票側に移行するに従い、シアン、マゼンダ、イエローのそれぞれの濃度が増加するよう色票が配列しているため、ユーザがこの色票の配列の規則性をもとに各色票の選択を行うことが可能となる。
また、色域の全てを離散的に網羅する場合、低明度となる暗部に割当てる色票はブラックの濃度を変化させる必要が生じる。しかし、ブラックの濃度を変化させる場合、他の色を含めて４次元での変化が生じるため、色票の数を増加させてしまう。
しかし、本発明では、暗部に対応する色票においては、ブラックの濃度を変化させているため、少ない色票の数で暗部側の色域を再現することができる。その結果、ユーザが色票を選択し易くすることができる。
【００１０】
ここで、本発明でインクジェットプリンタという場合は、シリアルプリンタやラインプリンタを含む。シリアルプリンタ（ｓｅｒｉａｌ  ｐｒｉｎｔｅｒ）とは、一度に１個の文字を印刷する印字装置、である（ＪＩＳ  Ｘ００１２−１９９０）。ここで、シリアルプリンタについては「１個の文字」とあるのは「１個の文字に対応する複数の点で表現される文字や画像」とする。また、ラインプリンタ（ｌｉｎｅ  ｐｒｉｎｔｅｒ）とは、１行分の文字を単位として印字する印字装置、である（ＪＩＳ  Ｘ００１２−１９９０）。ここで、ラインプリンタについては「１行分の文字」とあるのは「１行分の文字に対応する複数の点で表現される文字や画像」とする。
また、印刷ヘッドとは、インクの液滴を連続的又は断続的に生成する、プリンタ本体の機械部又は電気部、である。以下、印刷ヘッドには、シリアルプリンタに用いられるシリアルプリンタ用ヘッド（ｈｅａｄ  fｏｒ  ｓｅｒｉａｌ  ｐｒｉｎｔｅｒ）や、ラインプリンタに用いられるラインプリンタ用ヘッド（ｈｅａｄ  fｏｒ  ｌｉｎｅ  ｐｒｉｎｔｅｒ）が含まれる。
【００１１】
そして、本発明の態様の一つは、前記カラーチャートは、前記第１色票と前記第２色票とを結ぶ線分を対角方向とする、格子状に、各色票を配列させている、構成としてもよい。
上記のように構成されることで、色域の低明度域に割当てられた色票の数を少なくすることができる。
【００１２】
さらに、本発明の態様の一つは、前記明度が前記所定閾値以下となる色票において、ブラックの濃度は、シアン、マゼンダ、イエローの濃度が等量となる値に基づいて設定されている構成としてもよい。
減法混色ではシアン、マゼンダ、イエローを等量、混色することでブラックを再現することができる。そのため、濃度が等量となる値に応じてブラックの濃度が設定されるため、色票の配列の前後で明度の反転が起こらず、濃度変化の連続性を保ったまま、色票に色を割当てることができる。
【００１３】
また、本発明の態様の一つは、前記色票の指定を受付け、前記指定された色票に応じた濃度のインクを前記印刷ヘッドに印刷させる指定色印刷部を有する構成としてもよい。
上記のように構成されることで、本発明に係るカラーチャートを用いて色の探索を行うことができ、探索に要する時間を短くすることができる。
【００１４】
そして、本発明の態様の一つは、前記指定色印刷部は、前記指定された色票に応じたインクの濃度の調整を受付ける、構成としてもよい。
上記のように構成されることで、色票を用いて指定した色を調整することが可能となり、より柔軟な色の探索を行なうことができる。
【００１５】
本発明にかかる技術的思想はインクジェットプリンタという形態のみで実現されるものではなく、他の物によって具現化されてもよい。また、上述したいずれかの態様のインクジェットプリンタの特徴に対応した工程を備える方法（カラーチャート印刷方法）の発明や、当該方法を所定のハードウェア（コンピューター）に実行させる印刷プログラムの発明や、当該プログラムを記録したコンピューター読取可能な記録媒体の発明も把握することができる。また、インクジェットプリンタは、単体の装置によって実現されてもよいし、複数の装置の組み合せによって実現されてもよい。インクジェットプリンタの構成を複数の装置によって実現する場合、それらをインクジェット印刷またはインクジェットシステムと呼ぶことができる。
【図面の簡単な説明】
【００１６】
【図１】本実施形態にかかるハードウェア構成およびソフトウェア構成を概略的に示している。
【図２】本発明に係る色探索処理を説明する図である。
【図３】ステップＳ１において印刷されるカラーチャート３０を説明する図である。
【図４】色探索処理の内、カラーチャートを印刷する処理（カラーチャート生成工程）を説明するフローチャートである。
【図５】カラーチャートを印刷する処理を説明する図である。
【図６】カラーチャートを印刷する処理を説明する図である。
【図７】チャート画像用データを説明する図である。
【図８】図１のステップＳ２、Ｓ３において実行する処理を示すフローチャートである。
【図９】操作パネル１５に表示されたＵＩ画面１５１を示す図である。
【発明を実施するための形態】
【００１７】
以下、下記の順序に従って本発明の実施形態を説明する。
１．第１の実施形態：
２．各種変形例：
【００１８】
１．第１の実施形態：
１．１．装置の概略
図１は、本実施形態にかかるハードウェア構成およびソフトウェア構成を概略的に示している。図１では、プリンタ１０を示している。プリンタ１０はインクジェットプリンタに該当する。プリンタ１０は、印刷処理を制御するための制御ユニット１１を有する。制御ユニット１１では、ＣＰＵ（Central Processing Unit）１２が、ＲＯＭ（Read Only Memory）１４等のメモリーに記憶されたプログラムデータ１４ａをＲＡＭ（Random Access Memory）１３に展開してプログラムデータ１４ａに従った演算を行なうことにより、自機を制御するためのファームウェアが実行される。ファームウェアは、印刷制御部１７等の機能をＣＰＵ１２に実行させるためのプログラムである。また、印刷制御部１７は、ファームウェアを実行することで、チャート画像生成部１７ａ、第１変換部１７ｂ、第２変換部１７ｃ、ハーフトーン処理部１７ｄ、吐出制御部１７ｅ、指定受付け部１７ｆ等を機能的に有する。これら各機能については後述する。
【００１９】
印刷制御部１７は、例えば、プリンタ１０に外部より挿入された記憶メディア等から画像データを入力し、画像データからハーフトーンを生成する。そして、当該ハーフトーンに基づいたハーフトーンドットを印刷することができる。プリンタ１０に外部より挿入された記憶メディアとは、例えばメモリーカードＭＣであり、メモリーカードＭＣは、プリンタ１０の筺体に形成されたスロット部１９に挿入される。また、印刷制御部１７は、プリンタ１０に有線あるいは無線により接続されたスキャナー、デジタルスチルカメラ、携帯端末、さらにはネットワーク経由で接続されたサーバー等、種々の外部機器から画像データを入力することもできる。
【００２０】
プリンタ１０が使用する画像データに該当するものとして、ベクトルデータやビットマップ画像等が挙げられる。ベクトルデータ（ｖｅｃｔｏｒ  ｄａｔａ）とは、直線、円、円弧などの幾何学的図形を表現する命令及びパラメーターのセットとして保存される画像データをいう。ビットマップ画像（ｂｉｔ−ｍａｐｐｅｄ  ｉｍａｇｅ）とは、画素（ｐｉｘｅｌ）の配列によって記述される画像データである。画素とは、色又は輝度を独立に割り当てることができる、画像を構成する最小要素のことである。
【００２１】
また、ハーフトーン（ｈａｌｆ−ｔｏｎｅ）とは、スクリーン線数、サイズ、形状、又は密度の異なる点で構成される画像のことである。ハーフトーンは、ディザリング、誤差拡散などによって生成される。ハーフトーンドット（ｈａｌｆ−ｔｏｎｅ  ｄｏｔ）とは、階調を構成する個々の要素のことである。ハーフトーンドットには、正方形、円形、楕円形など、さまざまな形状がありえる。以下、ハーフトーンドットのことを単にドットとも記載する。
【００２２】
プリンタ１０は、複数種類のインク毎のインクカートリッジ２３を搭載している。図１の例では、シアン（Ｃ）、マゼンダ（Ｍ）、イエロー（Ｙ）、ブラック（Ｋ）の各インクに対応したインクカートリッジ２３が搭載されている。ただし、プリンタ１０が使用する液体の具体的な種類や数は上述したものに限られず、例えば、ライトシアン、ライトマゼンダ、オレンジ、グリーン、グレー、ライトグレー、ホワイト、メタリックインク、プレコート液…等、種々のインクや液体を使用可能である。また、プリンタ１０は、各インクカートリッジ２３から供給されるインクを多数のノズル２１から吐出（噴射）する印刷ヘッド２０を備える。
【００２３】
本実施形態における印刷ヘッド２０は、長尺形状をしたラインプリンタ用ヘッドである。従って、プリンタ１０は、ライン型プリンタである。印刷ヘッド２０は、例えば、プリンタ１０内の所定位置に固定されている。印刷ヘッド２０では、被印刷物が動かされる方向（送り方向）と交わる(交差する)方向が長手方向であり、長手方向に複数のノズル２１をつらねたノズル列を備える。当該長手方向は、ノズル列方向と表現することもできる。ここで言う“交差”とは直交の意である。ただし、本明細書で言う直交とは、厳密な角度（９０°）のみを意味するのではなく、製品の品質上許容される程度の角度の誤差を含む意味である。ノズル列は、上記長手方向における被印刷物の幅のうちの少なくとも被印刷物上の印刷可能な領域の幅に対応した長さを有する。また、ノズル列は、プリンタ１０が使用するインク種類毎に設けられている。
【００２４】
被印刷物（ｐｒｉｎｔ  ｓｕｂｓｔｒａｔｅ）とは、印刷画像を保持する素材のことである。形状は長方形のものが一般的であるが、円形（例えばＣＤ−ＲＯＭ、ＤＶＤ等の光ディスク）、三角形、四角形、多角形などがあり、少なくとも、日本工業規格「ＪＩＳ  Ｐ０００１：１９９８  紙・板紙及びパルプ用語」に記載の紙・板紙の品種及び加工製品のすべてを含む。なお、被印刷物の具体的な例は後述する。
【００２５】
図１では、印刷ヘッド２０の吐出孔面２２（ノズル２１の開口が形成された面）におけるＣＭＹＫ毎の各ノズル列の一部を、鎖線で囲った範囲内に例示している。ＣＭＹＫ毎の各ノズル列は、上記送り方向に沿って並列している。ＣＭＹＫ毎の各ノズル列における上記長手方向のノズル密度（ノズル数／インチ）は、印刷ヘッド２０の上記長手方向の印刷解像度（ｄｐｉ）に等しい。また、ＣＭＹＫ毎の各ノズル列は、上記長手方向に沿ってノズル２１が並んだ一列のノズル列のみで構成されてもよいし、図１に例示するように、平行であって且つ上記長手方向に所定ピッチずれた複数のノズル列で構成（いわゆる千鳥状に構成）されてもよい。
【００２６】
印刷制御部１７は、上記ハーフトーンに基づいて、印刷ヘッド２０や搬送機構１６等を駆動するための駆動信号を生成する。印刷ヘッド２０内には、各ノズル２１に対し、ノズル２１からインク滴（ドット）を吐出させるための圧電素子が設けられている。圧電素子は、上記駆動信号が印加されると変形し、対応するノズル２１からドットを吐出させる。搬送機構１６は、モーター（不図示）やローラー（不図示）等を備え、印刷制御部１７に駆動制御されることにより、上記送り方向に沿って被印刷物を搬送する。印刷ヘッド２０の各ノズル２１からインクが吐出されると、搬送中の被印刷物にドットが付着し、これにより上記ハーフトーンに基づいて画像が被印刷物上に再現される。
【００２７】
プリンタ１０は、さらに操作パネル１５を備える。操作パネル１５は、表示部（例えば液晶パネル）や、表示部内に形成されるタッチパネルや、各種ボタンやキーを含み、ユーザからの入力を受け付けたり、必要なユーザーインターフェイス（ＵＩ）画面を表示部に表示したりする。
【００２８】
本実施形態では、主として、印刷ヘッド２０は固定され、被印刷物が搬送機構１６により搬送される構成を前提として説明を続けるが、移動しない（あるいは移動を一時的に停止した）被印刷物に対して、印刷ヘッド２０がキャリッジにより上記送り方向に移動する構成を採用することも可能である。つまり、被印刷物と印刷ヘッド２０との少なくとも一方が移動して被印刷物と印刷ヘッド２０との位置を一定方向に沿って相対的に変化させる構成であればよい。
【００２９】
１．２．色探索処理
図２は、本発明に係る色探索処理を説明する図である。色探索処理の一例として、図２（ａ）に示す社章４０を被印刷物に印刷する場合を例に説明を行う。社章４０は、『Ｓ』の文字からなる部位４１と、背景色としての部位４２とで構成されている。そして、部位４１、４２は、コーポレートカラーであり、色の範囲が定められている。以下、部位４１、４２に指定される色を、単に、ターゲット色とも記載する。
【００３０】
この色探索処理では、まず、図２（ｂ）に示すように、ユーザがプリンタ１０にカラーチャート３０を印刷させる（ステップＳ１：カラーチャート生成工程）。即ち、ステップＳ１においてプリンタ１０はカラーチャート生成部としても機能する。カラーチャート３０は、複数の色票が配列して構成されている。各色票は、プリンタ１０が再現できる色域上の色を離散的に表現している。次に、ユーザは、カラーチャートに含まれる色票の内、社章４０のターゲット色と近い色票を選択し、プリンタ１０にこの色票を指定する（ステップＳ２：指定色印刷工程）。次に、ユーザは、プリンタ１０に色票に応じた色（ドット）を被印刷物に印刷させる（ステップＳ３：指定色印刷工程）。即ち、ステップＳ２、Ｓ３においてプリンタ１０は指定色印刷部としても機能する。
【００３１】
プリンタ１０で印刷した色がターゲット色に近いとユーザが評価した場合、ユーザは、指定した色を社章４０を印刷する際のインクの組合せとしてプリンタ１０に記録させる。一方、ユーザが、プリンタ１０で印刷した色がターゲット色と異なると評価した場合、ユーザは、前回とは異なる色票の指定等をプリンタ１０に行う。上記した１連の処理は、ユーザがプリンタ１０で印刷した色とターゲット色とが近いと判断するまで、繰返される。ユーザが色票に応じて印刷された色をターゲット色に近いと評価した場合、プリンタ１０はこの色票に応じた色を印刷するのに用いたインクの組合せを記録する。
【００３２】
図３は、ステップＳ１において印刷されるカラーチャート３０を説明する図である。カラーチャート３０は、例えば、行方向（第１方向）Ｄ１と列方向（第２方向）Ｄ２に格子状に配列した２１６（１８×１２）個の色票（ｉ、ｊ）により構成されている。各色票は、プリンタ１０の色域の色にそれぞれ対応している。ここで、所定の色票を識別するために、行方向の配列番号ｉと、列方向の配列番号ｊとを組み合わせて色票を表現する場合がある。色票（１、１）（第１色票）は、カラーチャート３０に含まれる色票の内、最も明度が高い色票である。そして、色票（１８、１２）（第２色票）は、カラーチャート３０を構成する色票の内、最も明度が低い色票である。即ち、色票（１、１）と色票（１８、１２）とは、図３において、対角方向Ｄ３の両端にそれぞれに配置されている。
【００３３】
また、カラーチャート３０の色票の配列は、対角方向Ｄ３に、色票（１、１）側から色票（１８、１２）側に移行するに従い、各色票のＣ、Ｍ、Ｙの濃度が増加していく。即ち、色票（２、２）は、色票（１、１）と比べてＣ、Ｍ、Ｙの濃度がそれぞれ濃くなるようよう、各色の濃度が規定されている。ここで、濃度が濃いとは、単色のドットの数が多い場合や、被印刷物に記録されたドットの径が大きい場合を意味する。
また、減法混色ではＣ、Ｍ、Ｙを等量、混色することでＫを再現することができるため、濃度が増加する方向に移行するに従い、等量のＣ、Ｍ、Ｙが混色する割合が増加する。その結果、カラーチャート３０は、対角方向Ｄ３において、色票（１、１）側から色票（１８、１２）側に移行するに従い、色票の明度が低下していく。例えば、色票（１、１）と色票（１８、１２）を結ぶ対角線と交差する線分をＬ１、Ｌ２、Ｌ３とすると、Ｌ２とＬ３で囲まれた色票の明度は、Ｌ１、Ｌ２で囲まれた色票の明度と比べて低くなる。
【００３４】
更に、カラーチャート３０は、明度が所定閾値Ｔ１となる領域において、第１色票（１、１）側から第２色票（１８、１２）側に対角方向Ｄ３に移行するに従い、各色票のＫの濃度が増加していく。閾値Ｔ１の一例としては、色域の最高明度を１００とし、最低明度を０とした場合に、中間の５０％付近とする。
これ以外にも、明度が１０％と比較的明度が高い範囲から、色票のＫの濃度を順次増加させていくものであってもよい。
【００３５】
また、本実施形態では、同一の列ｊにおいては、色票を構成するＣの濃度は略均一となっている。また、同一の行ｉにおいては、色票を構成するＭの濃度は略均一となっている。そして、同一の行ｉにおいて、色票（１、１）側から色票（１８、１２）側へ行方向Ｄ１に移行するに従い、各色票の各色の濃度は、マゼンダを一定としつつ、シアン、イエローが増加する。また、同一の列ｊにおいて、色票（１、１）側から色票（１８、１２）側へ行方向Ｄ１に移行するに従い、各色票の各色の濃度は、シアンを一定としつつ、マゼンダ、イエローが増加する。
なお、第１方向Ｄ１、第２方向Ｄ２における各色の濃度を変化させる色票の配列は、対角方向Ｄ３において濃度が増加するよう色票が配列されていれば、どの様な配列であってもよい。
【００３６】
１．３．カラーチャート生成工程について：
図４は、色探索処理の内、カラーチャートを印刷する処理（カラーチャート生成工程）を説明するフローチャートである。また、図５、図６は、カラーチャートを印刷する処理を説明する図である。この処理では、ユーザがプリンタ１０にカラーチャート３０を印刷させる場合（図２のステップＳ１）に実行される。
【００３７】
図４のステップＳ１１では、チャート画像生成部１７ａは、プリンタ１０の色域に含まれる所定のＣ、Ｍ、Ｙの各値（階調値）を取得する。Ｃ、Ｍ、Ｙの各色が２５６の階調値を有する場合、この３色の階調値（０から２５５）により色域内に１６７７７２１６（２５６×２５６×２５６）個を配置することができる。本実施形態では、チャート画像生成部１７ａは、この１６７７７２１６の点の内、色票の数に応じた２１６（６×６×６）個の点を取得する場合を説明する。以下、このように取得される点をグリットとも記載する。また、チャート画像生成部１７ａにより処理が行われるグリットを参照グリットとも記載する。
【００３８】
図５（ａ）は、色域ＣＳ内に規定されたグリットを示す点である。この色域ＣＳは、ＣＩＥＬＡＢ均等色空間上に規定されている。色域において「○」で示す点は、所定のグリットの各位置を示している。グレー軸（Ｌ＊軸）の点Ｐｗは、（Ｃ、Ｍ、Ｙ）＝（０、０、０）とした場合の点であり、最も明るい明度に対応している。また、点Ｐｗから伸びる、Ｌｃはシアン（Ｃ）の階調値の変化を示す軸である。また、Ｌｍはマゼンダ（Ｍ）の階調値の変化を示す軸である。そして、Ｌｙはイエロー（Ｙ）の階調値の変化を示す軸である。さらに、Ｐｃは階調値が（２５５、０、０）となる点を、ＰＭは階調値が（０、２５５、０）となる点を、ＰＹは階調値が（０、０、２５５）となる点を示している。
図５（ａ）に示すように、色域ＣＳの高明度側は、Ｃ、Ｍ、Ｙの階調値の組合せ、即ち、ステップＳ１１で取得するグリットによりその位置を規定することができる。例えば、グリットの各階調値は、Ｌｃ、Ｌｍ、Ｌｙの各軸を均等に６分割した値を色毎に組み合わせて構成されている。
一方、色域ＣＳ内の点線で囲まれる位置（以下、暗部とも記載する。）は、Ｃ、Ｍ、Ｙの３色では再現できない色を示す。
【００３９】
次に、ステップＳ１２では、チャート画像生成部１７ａは、ステップＳ１１で取得されたグリットの階調値を取得する。減法混色では、色の濃度に応じて明度が低くなるため、このステップでは明度を判断するために階調値を取得している。
無論、チャート画像生成部１７ａは階調値をもとに明度を直接算出するものであってもよい。
【００４０】
次に、ステップＳ１３では、チャート画像生成部１７ａは、参照グリットが色域ＣＳの暗部側にシフトさせるグリットであるか否かを判断する。このことを、図５を用いて説明する。図５（ｂ）は、図５（ａ）に示す色域におけるａ＊ｂ＊平面と垂直な所定面での断面図である。色票が色域ＣＳの高明度側の色に割当てられている場合、Ｋを０に保持した状態でも、Ｃ、Ｍ、Ｙの階調値を変化させることでこの色を再現することができる。一方、色票が色域ＣＳの暗部（点線で囲まれる領域）側の色に割当てられている場合、Ｋを０に保持したままではこの色を再現できない。そのため、この色を再現するためには、所定のグリットのＫの階調値を０以上に変化させる必要がある。例えば、図５（ｂ）では、明度が閾値以下となるグリットＧｎを暗部側にシフトすることで、暗部側の色に割当てるグリットを設定している。そのため、色域ＣＳの高明度側では、シアン、マゼンダ、イエローの３色により色を再現し、暗部側では、３色に加えてブラックの階調値を変化させることで、少ない色票で色域を網羅できるようにしている。
【００４１】
参照グリットのＣ、Ｍ、Ｙの階調値が閾値Ｔ２以下である場合（ステップＳ１３：ＹＥＳ）、チャート画像生成部１７ａは、ステップＳ１４に進み、参照グリットに対してＫの階調値を０とする。参照グリットの階調値が閾値Ｔ２以下ということは、参照グリットが色域ＣＳの暗部側にシフトさせるグリットではないことを意味している。例えば、閾値Ｔ２は、Ｃ、Ｍ、Ｙの３色で再現できる色の内、低明度側に該当する階調値である。
【００４２】
一方、参照グリットのＣ、Ｍ、Ｙの明度が閾値Ｔ２以上である場合（ステップＳ１３：ＮＯ）、チャート画像生成部１７ａは、ステップＳ１５に進み、参照グリットに対してＫの階調値を更新し、参照グリットを暗部側にシフトさせる。
減法混色では、等量のＣ、Ｍ、Ｙを混色した量をＫに置き換えることができる。本実施形態では、この考えを応用し、Ｃ、Ｍ、Ｙの階調値の重なり量ＬａｑをもとにＫの階調値を設定している。重なり量Ｌａｑに応じてＫの階調値を設定することで、暗部側の色の明度反転を抑制することができる。ここで、重なり量Ｌａｑとは、Ｃ、Ｍ、Ｙの階調値が全て２５５となる場合を１００％とし、階調値が全て０となる場合を０％とする値である。本実施形態では、図６（ａ）に示すように、重なり量Ｌａｑに係数ｋをかけ合わせることで、実際のＫの値を設定している。
係数ｋは、例えば、色域ＣＳ内のグリットの階調値の連続性や、色の見えを考慮して実験的に決定される数値である。例えば、係数ｋは定数である他、重なり量Ｌａｑに応じた関数であってもよい。
【００４３】
図６（ｂ）は、重なり量Ｌａｑに応じて設定されるＫの値を示すグラフである。図６（ｂ）では、横軸は重なり量Ｌａｑ（％）を示し、縦軸は設定されるＫの階調値を示す。この実施形態では、重なり量Ｌａｑが５０％以上で（即ち、Ｃ、Ｍ、Ｙの階調値が１２８だけ重なる場合）にＫの値が増加していく。また、重なり量Ｌａｑが最大となる場合（１００％）において、Ｋの階調値が１２８となっている。即ち、この実施形態では、Ｋの階調値は最大で１２８に制限されている。
【００４４】
全てのグリット（例えば、２１６個のグリット）の参照が終了していない場合（ステップＳ１６：ＮＯ）、ステップＳ１７に進み、チャート画像生成部１７ａは、次の参照グリットを移動する。そして、チャート画像生成部１７ａは、ステップＳ１２に戻り、参照グリットに対してＳ１２からＳ１４の一連の処理を繰り返す。そして、全てのグリットの参照が終了した場合（ステップＳ１６：ＹＥＳ）、ステップＳ１８に進む。
【００４５】
ステップＳ１８では、チャート画像生成部１７ａは、カラーチャート３０を印刷するための画像データを生成する。以下、カラーチャートを印刷するための画像データをチャート画像用データとも記載する。例えば、チャート画像生成部１７ａは、２１６個のグリットに設定された階調値を、チャート画像用データの所定のＮ×Ｍの画素群に、順次、設定していく。即ち、Ｎ×Ｍの画素群は、画像データに含まれる色票に該当する画素となる。
【００４６】
図７は、チャート画像用データを説明する図である。チャート画像生成部１７ａは、色票（１、１）に対応する画素群３１１に対して、各階調値の組合せが最も小さいグリットの値を設定する。そして、色票（１、１）に対応する画素から対角方向（図３のＤ３に対応する方向）に向けて、各階調値が増加するよう、各グリットの値を該当画素に設定していく。このとき、チャート画像用データにおける画素群３１１を含む高明度（低濃度）側の画素には、Ｋの値が０となる階調値のみが設定される。そして、チャート画像用データにおける暗部（高濃度）側の画素には、Ｋの値が０以上となる階調値が設定される。そして、チャート画像用データにおける対角方向の画素群３１１と反対側の端部に位置する画素群３１２には、色票（１８、１２）に対応する階調値が設定される。
【００４７】
ステップＳ１９では、チャート画像生成部１７ａは、２１６個のグリットに設定された階調値を、インデックステーブル１４ｄに記録（更新）する。インデックステーブル１４ｄは、色票及び色票の階調値をＩＤにより参照するテーブルである。チャート画像生成部１７ａは、インデックステーブル１４ｄの該当ＩＤに対応する欄に、ステップＳ１１からＳ１７により取得した階調値を、順次、設定していく。
【００４８】
ステップＳ２０では、第１変換部１７ｂは、第１プロファイル１４ｂを参照して、チャート画像用データの各画素に設定された階調値をＣＩＥＬＡＢ均等色空間上の値であるＬａｂ値に変換する。第１プロファイル１４ｂは、ＣＭＹＫの階調値の組合せと、この階調値の組合せをＬＣＩＥＬＡＢ均等色空間上の値に変換した値との関係を記録している。そのため、第１変換部１７ｂは、この第１プロファイル１４ｂを参照することで、チャート画像用データに設定された所定の階調値の組合せから一意のＬａｂ値を取得することができる。
【００４９】
ステップＳ２１では、第２変換部１７ｃは、チャート画像用データの各画素に設定されたＬａｂ値を、インク量データに変換する。インク量データは、Ｃ、Ｍ、Ｙ、Ｋの各インク色を０〜２５５の値に規定したデータである。このインク量データでは、各値がプリンタ１０の特性に応じて調整されている。第２プロファイル１４ｃには、ＣＩＥＬＡＢ均等色空間上の値であるＬａｂ値と、プリンタ１０の特性を加味しつつＬａｂ値をインク量に変換した値との関係を記録している。そのため、第２変換部１７ｃは、この第２プロファイル１４ｃを参照することで、チャート画像用データに設定されたＬａｂ値から一意のインク量データを取得することができる。
【００５０】
ステップＳ２２では、ハーフトーン処理部１７ｄは、チャート画像用データを、ハーフトーニングして、ハーフトーンを生成する。ハーフトーニングは、２５６階調の連続した階調を有するビットマップデータ（チャート画像用データ）を、プリンタ１０が出力可能な階調数にまで減らして、物理的なドットのオン・オフで規定されたハーフトーンドットから成るハーフトーンを生成する処理である。ハーフトーンは、印刷ヘッド２０がドットを形成可能なＣ、Ｍ、Ｙ、Ｋの色毎に、印刷ヘッド２０が有するノズルの解像度に応じて生成される。例えば、ハーフトーン処理部１７ｄは、ＲＯＭ１４に記録されたディザマスク（図示しない）を用いて、チャート画像用データから、ハーフトーンを生成する。
また、これ以外にも、ハーフトーン処理部１７ｄは、周知のディザリングによりハーフトーンを生成するものであってもよい。
【００５１】
ステップＳ２３では、吐出制御部１７ｅは、ハーフトーンを印刷ヘッド２０に転送すべき順に並べ替える処理を行なう。この並べ替えの処理によれば、ハーフトーンに規定された各ドットは、その位置及びインクの色の種類に応じて、いずれのノズル列のノズル２１によって、どのタイミングで形成されるかが確定される。かかる並べ替えの処理後のラスターデータを、吐出制御部１７ｅは印刷ヘッド２０に順次送信することにより、各ノズル２１からのドットの吐出を実行させる。これにより、ハーフトーンに基づいて図３に示すカラーチャートが被印刷物に再現される。
【００５２】
１．４．指定色印刷工程について
図８は、図１のステップＳ２、Ｓ３において実行する処理を示すフローチャートである。そして、図９は、操作パネル１５に表示されたＵＩ画面１５１を示す図である。
以下、各図を参照しながら、プリンタ１０における指定色印刷工程を説明する。
【００５３】
。
図８のステップＳ３１では、指定受付け部１７ｆは、操作パネル１５を通じて、ユーザからの色票の指定を受付ける。例えば、指定受付け部１７ｆは、図９に示すＵＩ画面１５１を操作パネル１５に表示させる。ユーザは、このＵＩ画面１５１を操作して、色票を指定するためのＩＤや、色票を印刷するインクの組合せの調整値を入力することができる。
【００５４】
ステップＳ３２では、指定受付け部１７ｆは、入力されたＩＤを元に、インデックステーブル１４ｄを参照して指定された色票に対応する階調値を取得する。インデックステーブル１４ｄには、色票を識別するＩＤと、Ｃ、Ｍ、Ｙ、Ｋの各階調値（０〜２５５）が対応付けて記録されている。
【００５５】
図９に示すＵＩ画面１５１では、符号１５２は、色票の指定を受付けるボックスアイコンを示す。例えば、ボックスアイコン１５２にカラーチャート３０内の２１６個の色票のいずれかを示すＩＤを入力することができる。指定受付け部１７ｆはボックスアイコン１５２にＩＤが入力されることで、指定された色票を認識し、インデックステーブル１４ｄを参照して、該当する階調値を取得する。
【００５６】
また、符号１５３は、色票を印刷する際に用いられるインクの組合せを調整するボックスアイコンである。ユーザがボックスアイコン１５２にＩＤを入力することで、指定受付け部１７ｆは、ＩＤに応じたＣ、Ｍ、Ｙ、Ｋの各階調値をアイコン１５３に表示させる。そして、ユーザがこのアイコン１５３に表示された階調値を変更することで、指定受付け部１７ｆは、色票に対応付けられた各色のデフォルトの階調値を変更することができる。
【００５７】
ユーザがアイコン１５３に表示された階調値を調整している場合（ステップＳ３３：ＹＥＳ）、ステップＳ３４では、指定受付け部１７ｆは調整値に応じて、ステップＳ３２で取得した階調値を変更する。一方、色票を印刷するインク量が調整されていない場合（ステップＳ３３：ＮＯ）、指定受付け部１７ｆはデフォルトの階調値を変更することなくステップＳ３５に進む。
【００５８】
ステップＳ３５では、指定受付け部１７ｆは、サンプル画像を生成する。例えば、指定受付け部１７ｆは、サンプル用の画像データの画素に対して取得した階調値を設定する。例えば、サンプル用の画像データは、ユーザが指定した色票に応じた色を再現するための所定画像を印刷するものである。
【００５９】
ステップＳ３６では、第１変換部１７ｂは、第１プロファイル１４ｂを参照して、画像データの各画素に設定された階調値をＣＩＥＬＡＢ均等色空間上の値であるＬａｂ値に変換する。また、ステップＳ３７では、第２変換部１７ｃは、第２プロファイル１４ｃを参照して、画像データの各画素に設定されたＬａｂ値を、プリンタ１０依存のデータであるインク量データに変換する。
これ以外にも、プリンタ１０が入力画像に規定された階調値とインク量データとの関係を規定するプロファイルを記録している場合、プリンタ１０がこのプロファイルを用いてステップＳ３６、Ｓ３７の処理を行なうものであってもよい。
【００６０】
ステップＳ３８では、ハーフトーン処理部１７ｄは、チャート画像用データを、ハーフトーニングして、ハーフトーンを生成する。また、ステップＳ３９では、ハーフトーンを印刷ヘッド２０に転送すべき順に並べ替える処理を行なう。
かかる並べ替えの処理後のラスターデータを、吐出制御部１７ｅは印刷ヘッド２０に順次送信することにより、各ノズル２１からのドットの吐出を実行させる。これにより、ハーフトーンに基づいてユーザにより指定された色票に応じた色（ドット）が被印刷物に再現される。
【００６１】
ユーザが被印刷物に記録された色を参照して、指定色を印刷する処理を終了させる操作入力を行った場合（ステップＳ４０：ＹＥＳ）、ステップＳ４１では、指定受付け部１７ｆは、色票の指定により取得した階調値とインク量データとの関係をＥＰＲＯＭに記録する。例えば、ユーザは印刷された色が所望する色に近いと判断すれば、操作パネル１５を操作して処理を終了させる。
【００６２】
一方、ユーザが指定色を印刷する処理を終了させる操作入力を行わない場合（ステップＳ４０：ＮＯ）、ステップＳ３１に戻り、指定受付け部１７ｆは、新たな色票の指定や、インクの調整を受付ける。
【００６３】
以上、説明したように、この第１の実施形態では、カラーチャートは第１色票側から第２色票側に移行するに従い、シアン、マゼンダ、イエローのそれぞれの濃度が増加するよう色票が配列しているため、ユーザがこの色票の配列の規則性をもとに各色票の選択を行うことが可能となる。
また、色域の全てを離散的に網羅する場合、低明度となる暗部に割当てる色票はブラックの濃度を変化させる必要が生じる。しかし、ブラックの濃度を変化させる場合、他の色を含めて４次元での変化が生じるため、色票の数を増加させてしまう。
しかし、本発明では、暗部に対応する色票においては、ブラックの濃度を変化させているため、少ない色票の数で暗部側の色域を再現することができる。その結果、ユーザが色票を選択し易くすることができる。
【００６４】
そして、カラーチャートは、第１色票と第２色票とを結ぶ線分を対角方向とする、格子状に、各色票を配列させているため、色域の低明度域に割当てられた色票の数を少なくすることができる。
【００６５】
さらに、明度が所定閾値Ｔ１以下となる色票において、ブラックの濃度は、シアン、マゼンダ、イエローの濃度が等量となる値に基づいて設定されているため、ブラック濃度に応じて暗部側の色票の明度反転が起こらず、濃度変化の連続性を保ったまま、色票に色を割当てることができる。
【００６６】
また、色票の指定を受付け、指定された色票に応じた濃度のインクを印刷ヘッドに記録させる指定色印刷部を有することで、本発明に係るカラーチャートを用いて色の探索を行うことでき、探索に要する時間を短くすることができる。
【００６７】
２．各種変形例：
変形例１：
チャート画像生成部１７ａはカラーチャートを印刷するための画像データを内部で生成するのとして説明を行った。しかし、プリンタ１０は、予めＲＯＭ１４に記録されたチャート画像用データを用いて、カラーチャートを印刷するものであってもよい。
【００６８】
変形例２：
プリンタ１０は、ラインプリンタ用ヘッドとしての印刷ヘッド２０を有することを前提としてこれまでの説明を行った。しかしプリンタ１０は、上記送り方向と交差する方向を走査軸方向として移動可能な印刷ヘッド２０を有する、いわゆるシリアルプリンタであってもよい。
【００６９】
変形例３：
これまでは各処理をプリンタ１０が実行する場合を例に説明を行なったが、当該処理の少なくとも一部がプリンタ１０とは異なるＰＣ等の外部装置で行なわれるとしてもよい。例えば、ＰＣが、プログラムに従って図４、図８に示す処理を実行し、これら処理の結果得たハーフトーンをプリンタ１０に出力し、プリンタ１０にハーフトーンに応じた印刷を実行させるとしてもよい。
また、本明細書においてプリンタ１０が使用する液体には、インク以外にも、水分や溶剤の蒸発によってその粘性が変化し得る液体や流体であれば、あらゆるものが該当する。
【００７０】
プリンタ１０が使用する被印刷物の具体的例としては、枚葉紙、ロール紙、板紙、紙、不織布、布、アイボリー、アスファルト紙、アート紙、色板紙、色上質紙、インクジェット用紙、印刷せんか紙、印刷用紙、印刷用紙Ａ、印刷用紙Ｂ、印刷用紙Ｃ、印刷用紙Ｄ、インディアペーパー、薄葉印刷紙、薄葉和紙、裏カーボン紙、エアメールペーパー、衛生用紙、エンボス紙、ＯＣＲ紙、オフセット紙、カード用厚紙、化学繊維紙、加工用紙、画仙紙、型紙、片つやクラフト紙、壁紙原紙、紙糸原紙、紙ひも原紙、感圧複写紙、感光紙、感熱紙、雁皮紙、缶用板紙、黄板紙、擬革紙、切符用紙、機能紙、キャストコート紙、京花紙、局紙、金属蒸着紙、金属はく紙、グラシン、グラビア用紙、クラフト紙、クラフト伸張紙、クラフトボール、クレープ紙、軽量コート紙、ケーブル用絶縁紙、化粧板用原紙、建材原紙、ケント紙、研磨原紙、合成紙、合成繊維紙、コート紙、コンデンサ紙、雑種紙、更紙、さらしクラフト紙、ジアゾ感光紙、紙管原紙、磁気記録用紙、紙器用板紙、辞典用紙、遮光紙、重袋用量更クラフト紙、純白ロール紙、証券用紙、障子紙、上質紙、情報用紙、食品容器原紙、書籍用紙、書道用紙、白板紙、白ボール、新聞巻取紙、吸取紙、水溶紙、図画用紙、筋入りクラフト紙、すの目紙、スピーカーコーン紙、静電記録用紙、生理用紙、紙綿用紙、積層板原紙、石こうボード原紙、接着紙原紙、セミ上質紙、セメント袋用紙、セラミックペーパー、ソリッドファイバーボード、ターフェルト原紙、ターポリン紙、耐アルカリ紙、耐火紙、耐酸紙、耐油紙、タオル用紙、壇紙、段ボール、段ボール原紙、地図用紙、チップボール、中質紙、中性紙、ちり紙、つや消しアート紙、ティーバック用紙、ティッシュペーパー、電気絶縁紙、典具帖、貼合紙、転写紙、トイレットペーパー、統計機カード用紙、謄写板原紙、塗工印刷用紙、塗工紙原紙、鳥の子、トレーシングペーパー、中しん原紙、ナプキン原紙、難燃紙、ＮＩＰ用紙、荷札用紙、粘着紙、ノーカーボン紙、はく離紙、ハトロン紙、バライタ紙、パラフィン紙、ろう紙、バルカナイズドファイバー、半紙、ＰＰＣ用紙、筆記用紙、微塗工印刷用紙、フォーム用紙、連続伝票紙、複写原紙、プレスボード、防湿紙、奉書紙、防水紙、防せい紙、放包装用紙、ボンド紙、マニラボール、美濃紙、書院紙、ミルクカートン原紙、模造紙、油紙、吉野紙、ライスペーパー、シガレットペーパー、ライナ、ライナ、硫酸紙、両更クラフト紙、ルーフィング原紙、ろ紙、和紙、ワニスペーパー、ワンプ、軽量紙、風乾紙、湿潤強力紙、無灰紙、無酸紙、無仕上紙又は板紙、二層紙又は板紙、三層紙又は板紙、多層紙又は板紙、無サイズ紙、サイズ紙、ウーブペーパー、木目紙又は板紙、マシン仕上げ紙又は板紙、マシン光沢仕上げ紙又は板紙、プレート光沢仕上げ紙又は板紙、摩擦光沢仕上げ紙又は板紙、カレンダ処理紙又は板紙、スーパーカレンダ処理紙、ラミン（紙又は板紙）、片面着色紙又は板紙、両面着色紙又は板紙、ツインワイヤ紙又は板紙、ラグペーパー、オールラグペーパー、機械パルプ紙又は板紙、混合わらパルプ紙又は板紙、水仕上げ紙又は板紙、チップボール、合わせチップボール、ミルボード、強光沢ミルボード、同質板紙、機械パルプ板紙、褐色機械パルプ板紙、褐色混合パルプ板紙、擬革板紙、石綿板紙、フェルトボード、タール褐色紙、ウオータリーフペーパー、表面サイズ紙、プレスパン、プレス用紙、しわ付き仕上げ紙、はり合わせアイボリー、ブレード塗工紙、ロール塗工紙、グラビア塗工紙、サイズプレス塗工紙、ブラッシュ塗工紙、エアナイフ塗工紙、押出塗工紙、ディップ塗工紙、カーテン塗工紙、ホットメルト塗工紙、溶剤塗工紙、エマルジョン塗工紙、バブル塗工紙、イミテーションアート紙、聖書用紙、ポスター用紙、包装用ティッシュ、原紙、カーボン原紙、ジアゾ感光紙原紙、写真用印画紙原紙、冷凍食品用紙原紙：直接接触紙用、冷凍食品用紙原紙：非接触紙用、安全紙、銀行券用紙、絶縁紙又は板紙、ラミネート絶縁体用紙、ケーブル用電気絶縁紙、靴底用板紙、織物紙管用紙、紋紙又は板紙、圧搾用板紙、製本用板紙、衣服箱用板紙、紙型用紙、記録用紙、クラフトライナー、検定済みライナ、クラフト張りライナ、古紙ライナ、封筒用紙、折畳み箱用板紙、塗工折壁み箱用板紙、さらしパルプ裏打ち折畳み箱用板紙、タイプライタ用紙、謄写版複写用紙、スピリット複写用紙、カレンダロール用紙、薬きょう用紙、波形加工用紙、波形加工紙、二層タール紙、強化二層タール紙、布張り紙又は板紙、布しん紙又は板紙、補強紙又は補強板紙、張合わせ板紙、カートンコンパクト、上張り、パルプ成型品、ウエットクレープ、検索カード、カーボン紙、マルチコピーフォーム用紙、裏カーボンフォーム用紙、ノーカーボンフォーム用紙、封筒、郵便はがき、絵入りはがき、郵便書簡、絵入り郵便書簡などがあげられ、とくに、機能紙には、植物繊維に限らず無機・有機・金属繊維など幅広い素材を用い、製紙及び加工の工程で高機能が付与され、主に情報・電子・医用などの先端分野の素材として用いられるものを含むが、これに限られるものではない。 
【００７１】
なお、本発明は上記実施例に限られるものでないことは言うまでもない。
即ち、上記実施例の中で開示した相互に置換可能な部材および構成等を適宜その組み合わせを変更して適用してもよい。
公知技術であって上記実施例の中で開示した部材および構成等と相互に置換可能な部材および構成等を適宜置換し、またその組み合わせを変更して適用してもよい。
公知技術等に基づいて当業者が上記実施例の中で開示した部材および構成等の代用として想定し得る部材および構成等と適宜置換し、またその組み合わせを変更して適用してもよい。
【符号の説明】
【００７２】
１０…プリンタ、１１…制御ユニット、１２…ＣＰＵ、１３…ＲＡＭ、１４…ＲＯＭ、１４ａ…プログラムデータ、１４ｂ…第１プロファイル、１４ｃ…第２プロファイル、１４ｄ…インデックステーブル、１５…操作パネル、１６…搬送機構、１７…印刷制御部、１７ａ…チャート画像生成部、１７ｂ…第１変換部、１７ｃ…第２変換部、１７ｄ…ハーフトーン処理部、１７ｅ…吐出制御部、１７ｆ…指定受付け部、１９…スロット部、２０…印刷ヘッド、２１…ノズル、２２…吐出孔面、２３…インクカートリッジ
【図１】
2015020372.tif 000003
【図２】
2015020372.tif 000004
【図３】
2015020372.tif 000005
【図４】
2015020372.tif 000006
【図５】
2015020372.tif 000007
【図６】
2015020372.tif 000008
【図７】
2015020372.tif 000009
【図８】
2015020372.tif 000010
【図９】
2015020372.tif 000011